(57)【要約】【課題】球タンクにおける遊技球の貯留量を調節し得ると共に遊技球の除電を確実に行ない得る遊技機を提供する。【解決手段】中枠１３の上枠部１３ａの裏側に、球タンク３０が着脱自在に配設される。球タンク３０の前壁３３ａの内面に沿って、貯留空間３４に露出する金属体３５が配設される。金属体３５は、中枠１３の金属製の第２側枠部１３ｄに電気的に接続される。前壁３３ａの前側にガイド部材３７が配設され、該ガイド部材３７に対して仕切部材３８が長手方向に移動自在に支持される。仕切部材３８は、貯留空間３４に臨む仕切片４０を備え、ガイド部材３７に対して仕切部材３８を移動することで、貯留空間３４の内容積を可変可能に構成される。【選択図】図８
2014061033.tif 000002
【特許請求の範囲】
【請求項１】
機裏側上部に配設され、上方に開口する箱形状に形成されると共に底面が長手方向に下方傾斜して内部画成された貯留空間に遊技球を貯留する球タンクを備え、該球タンクにおける傾斜下端側に貯留空間に貯留した遊技球が送り出される球出口が設けられ、所定条件の成立によって球タンクの貯留空間に貯留した遊技球を払出して遊技に供するよう構成された遊技機において、
前記球タンクの長手方向に沿う一方の側壁の内面に沿って配設され、外部アースに電気的に接続する導電性部材と、
前記球タンクの外部に配設された支持部材に対して球タンクの長手方向に移動自在に支持され、該球タンク内に収容した仕切部によって前記貯留空間の内容積を可変可能な仕切部材と、
前記支持部材に対して移動した仕切部材を、移動位置で位置決めする係止手段とを備えた
ことを特徴とする遊技機。
【請求項２】
前記支持部材は、前記球タンクにおける導電性部材が配設された一方の側壁の外側に平行に延在し、
前記仕切部材は、球タンクの一方の側壁の上側を越えて前記仕切部が球タンク内に臨むように支持され、
前記仕切部は、前記導電性部材の内面と該内面と対向する球タンクの他方の側壁との間に延在して、支持部材に対して仕切部材を移動することで該仕切部が導電性部材の内面に沿って移動して貯留空間の内容積を可変すると共に、該仕切部により仕切られた貯留空間に導電性部材が常に露出するよう構成される請求項１記載の遊技機。
【請求項３】
前記球タンクは、前記球出口に向かうにつれて深さが大きくなるよう構成され、
前記導電性部材は、下端縁が前記球タンクの底面に沿って延在すると共に、該球タンクの球出口が設けられる端部に向かうにつれて上下寸法が大きくなるよう構成され、
前記導電性部材に、前記球タンクの一方の側壁の上端縁から一段下がった位置に上端縁が位置する切欠部が該導電性部材の長手方向に延在して設けられると共に、前記仕切部材には導電性部材における切欠部の上端縁に当接する段部が設けられている請求項１または２記載の遊技機。
【請求項４】
前記球タンクは、遊技球が流下する遊技領域が盤面に画成された遊技盤を支持する本体枠の裏側上部に配設され、
前記本体枠の金属部分に配設した板金部材に前記導電性部材が電気的に接続すると共に、該本体枠は、前記金属部分が外部アースに接続する固定枠の金属部分に接触した状態で該固定枠に組み付けられる請求項１〜３の何れか一項に記載の遊技機。
【請求項５】
前記球タンクと前記本体枠との対向面の一方に係合部が設けられると共に他方に被係合部が設けられ、球タンクは係合部と被係合部との係合によって本体枠に着脱自在に配設されると共に、前記係合部と被係合部とは本体枠に対して球タンクを横方向に変位することで係脱するよう構成される請求項４記載の遊技機。
【請求項６】
前記係止手段は、前記支持部材に設けられて球タンクの長手方向に並ぶ複数の被係止部と、前記仕切部材に弾性変形可能に設けられて前記被係止部に係脱自在に係止する係止部とを備え、前記仕切部材は、被係止部に係止部が係止することで位置決めされる請求項１〜５の何れか一項に記載の遊技機。
【発明の詳細な説明】
【技術分野】
【０００１】
本発明は、遊技球を貯留する球タンクを備えた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記中枠の裏側上部に球タンクを備え、遊技店の島設備に配設された球補給設備から供給されるパチンコ球を球タンクに所定量貯留し、該球タンクに接続するタンクレールを介してパチンコ球を球払出装置に送り出すよう構成される。
【０００３】
ここで、前記球タンクに貯留可能なパチンコ球の貯留量を可変し得るように構成することで、遊技店毎の出球数管理に対応し得るようにしたパチンコ機が提案されている(例えば、特許文献１参照)。このパチンコ機では、球タンクの対向する内壁に、内側に突出する厚肉部を長手方向に離間して複数形成すると共に各厚肉部に縦方向に延在する溝部を夫々形成し、対向する溝部間に仕切板を嵌め込むことで球タンク内におけるパチンコ球の貯留領域を仕切るよう構成されており、該仕切板を嵌め込む溝部を変えることで、球タンクに貯留可能なパチンコ球の貯留量を調節している。
【先行技術文献】
【特許文献】
【０００４】
【特許文献１】特開平１０−５７５６８号公報
【発明の概要】
【発明が解決しようとする課題】
【０００５】
前記パチンコ機から遊技店の球補給設備に回収されたパチンコ球は、研磨揚送装置によって研磨、揚送された後に、球補給設備を介して前記球タンクに供給されるようになっている。球タンクに供給されるパチンコ球は、研磨揚送装置による研磨、揚送時等に発生した静電気を帯電しているため、球タンクに貯留されるパチンコ球に帯電する静電気を除電して、制御基板等へのノイズによる悪影響を防止する必要がある。そこで、球タンクの側壁内面に導電板を配設し、該導電板にパチンコ球を接触させて除電することが考えられる。しかしながら、前述したようなパチンコ球の貯留数を調節する構成を備えた球タンクでは、側壁に仕切板を位置決めする溝部を形成しているため、該溝部の形成位置において導電板を配設することができず、パチンコ球と導電板との接触が不確実となって確実な除電ができなくなるおそれがある。
【０００６】
すなわち本発明は、従来の技術に内在する前記問題に鑑み、これらを好適に解決するべく提案されたものであって、球タンクにおける遊技球の貯留量を調節し得ると共に遊技球の除電を確実に行ない得る遊技機を提供することを目的とする。
【０００７】
前記課題を克服し、所期の目的を達成するため、本願の請求項１に係る発明は、
機裏側上部に配設され、上方に開口する箱形状に形成されると共に底面(32)が長手方向に下方傾斜して内部画成された貯留空間(34)に遊技球を貯留する球タンク(30)を備え、該球タンク(30)における傾斜下端側に貯留空間(34)に貯留した遊技球が送り出される球出口(30a)が設けられ、所定条件の成立によって球タンク(30)の貯留空間(34)に貯留した遊技球を払出して遊技に供するよう構成された遊技機において、
前記球タンク(30)の長手方向に沿う一方の側壁(33a)の内面に沿って配設され、外部アースに電気的に接続する導電性部材(35)と、
前記球タンク(30)の外部に配設された支持部材(37)に対して球タンク(30)の長手方向に移動自在に支持され、該球タンク(30)内に収容した仕切部(39,40)によって前記貯留空間(34)の内容積を可変可能な仕切部材(38)と、
前記支持部材(37)に対して移動した仕切部材(38)を、移動位置で位置決めする係止手段(37d,42)とを備えたことを要旨とする。
【０００８】
請求項１に係る発明によれば、球タンクの外部に配設した支持部材に仕切部材を移動自在に支持するようにしたので、遊技球の貯留量を調節可能に構成した球タンクの内部には導電性部材を配設する際に阻害する部分がなく、貯留空間に貯留される遊技球と確実に接触するように導電性部材を配設して、遊技球に帯電している静電気を導電性部材を介して確実に除電することができる。すなわち、遊技球の貯留量を調節可能に構成したもとで、貯留された遊技球に帯電する静電気に起因するノイズによる悪影響を防止し得る。
【０００９】
請求項２に記載の発明では、前記支持部材(37)は、前記球タンク(30)における導電性部材(35)が配設された一方の側壁(33a)の外側に平行に延在し、
前記仕切部材(38)は、球タンク(30)の一方の側壁(33a)の上側を越えて前記仕切部(39,40)が球タンク(30)内に臨むように支持され、
前記仕切部(39,40)は、前記導電性部材(35)の内面と該内面と対向する球タンク(30)の他方の側壁(33b)との間に延在して、支持部材(37)に対して仕切部材(38)を移動することで該仕切部(39,40)が導電性部材(35)の内面に沿って移動して貯留空間(34)の内容積を可変すると共に、該仕切部(39,40)により仕切られた貯留空間(34)に導電性部材(35)が常に露出するよう構成されることを要旨とする。
請求項２に係る発明によれば、仕切部を移動して内容積が変更された貯留空間に常に導電性部材が露出するので、貯留空間に貯留される遊技球と導電性部材とを接触させて静電気を確実に除電することができる。
【００１０】
請求項３に記載の発明では、前記球タンク(30)は、前記球出口(30a)に向かうにつれて深さが大きくなるよう構成され、
前記導電性部材(35)は、下端縁が前記球タンク(30)の底面(32)に沿って延在すると共に、該球タンク(30)の球出口(30a)が設けられる端部に向かうにつれて上下寸法が大きくなるよう構成され、
前記導電性部材(35)に、前記球タンク(30)の一方の側壁(33a)の上端縁から一段下がった位置に上端縁が位置する切欠部(35f)が該導電性部材(35)の長手方向に延在して設けられると共に、前記仕切部材(38)には導電性部材(35)における切欠部(35f)の上端縁に当接する段部(43)が設けられていることを要旨とする。
請求項３に係る発明によれば、貯留空間に貯留される遊技球と導電性部材との接触面積を稼いで確実な除電を図り得る。また、導電性部材を利用して仕切部材を安定して移動させることができる。
【００１１】
請求項４に記載の発明では、前記球タンク(30)は、遊技球が流下する遊技領域(12a)が盤面に画成された遊技盤(12)を支持する本体枠(13)の裏側上部に配設され、
前記本体枠(13)の金属部分(13d)に配設した板金部材(70)に前記導電性部材(35)が電気的に接続すると共に、該本体枠(13)は、前記金属部分(13d)が外部アースに接続する固定枠(11)の金属部分(11d)に接触した状態で該固定枠(11)に組み付けられることを要旨とする。
請求項４に係る発明によれば、球タンクに貯留された遊技球に帯電している静電気を本体枠および固定枠を介して外部アースに放電することができる。
【００１２】
請求項５に記載の発明では、前記球タンク(30)と前記本体枠(13)との対向面の一方に係合部(63)が設けられると共に他方に被係合部(65)が設けられ、球タンク(30)は係合部(63)と被係合部(65)との係合によって本体枠(13)に着脱自在に配設されると共に、前記係合部(63)と被係合部(65)とは本体枠(13)に対して球タンク(30)を横方向に変位することで係脱するよう構成されることを要旨とする。
請求項５に係る発明によれば、球タンクを簡単に交換することができる。また、係合部と被係合部とは球タンクを横方向に移動することで係脱するので、球タンクに対して上方から遊技球が供給される際の衝撃等によって係合部と被係合部との係合が外れるのは防止できる。
【００１３】
請求項６に記載の発明では、前記係止手段は、前記支持部材(37)に設けられて球タンク(30)の長手方向に並ぶ複数の被係止部(37d)と、前記仕切部材(38)に弾性変形可能に設けられて前記被係止部(37d)に係脱自在に係止する係止部(42)とを備え、前記仕切部材(38)は、被係止部(37d)に係止部(42)が係止することで位置決めされることを要旨とする。
請求項６に係る発明によれば、貯留空間の容量を段階的に調節することができる。
【発明の効果】
【００１４】
本発明に係る遊技機によれば、遊技球の貯留量を調節し得ると共に、貯留された遊技球に帯電している静電気を確実に除電し得る。
【図面の簡単な説明】
【００１５】
【図１】本発明の好適な実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係るパチンコ機の背面図であって、遊技盤を取り外した状態で示している。
【図４】実施例に係る遊技盤を示す正面図である。
【図５】図柄表示装置、各種制御装置を配設した設置部材を取り付けた状態で示す遊技盤の背面図である。
【図６】実施例の中枠から遊技盤を取り外した状態で、ドッキングコネクタの配設部分を示す要部概略斜視図である。
【図７】実施例の球貯留部が取り付けられた中枠の上枠部を背面側から視た状態で示す要部概略斜視図である。
【図８】実施例の中枠の上枠部から球タンク、固定金具および板金部材を分解した状態で後側から視た要部概略斜視図である。
【図９】実施例の球貯留部を分解して後側から視た概略斜視図である。
【図１０】(ａ)は実施例の球貯留部を分解して前側から視た概略斜視図であり、(ｂ)は仕切部材を拡大して示す概略斜視図である。
【図１１】実施例のパチンコ機における金属体と板金部材との接続部分を後側から視た要部概略斜視図である。
【図１２】図３のＡ−Ａ線断面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１,図２または図３に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている(図５参照)。また、前記中枠１３の前面側には、前記遊技盤１２を透視保護するガラス板や透明な合成樹脂材により形成された透視保護板１５ａで前後に開口する窓部１５ｂを覆うよう構成された装飾枠として前枠１５が開閉可能に組み付けられている。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置１８を作動する操作ハンドル１９が設けられ、該操作ハンドル１９の回動操作によって打球発射装置１８が作動されて、前記上球受け皿１６に貯留されたパチンコ球が前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１８】
(外枠１１について)
前記外枠１１は、図２および図３に示す如く、上縁を構成する上枠部材１１ａと、下縁を構成する下枠部材１１ｂと、左縁(一方の縁)を構成する第１側枠部材１１ｃと、右縁(他方の縁)を構成する第２側枠部材(金属部分)１１ｄとから基本的に構成され、これら上下左右の枠部材１１ａ,１１ｂ,１１ｃ,１１ｄを組み付けることで外枠１１が縦長の矩形枠体として構成される。そして、外枠１１に対して中枠１３は、後述する第１側枠部１３ｃ側が、ヒンジ機構５０を介して開閉および着脱自在に支持され、外枠１１に対して中枠１３を閉成することで、該外枠１１の内側に中枠１３が収容されるよう構成される。また、中枠１３の後述する第２側枠部１３ｄに設けた金属製の施錠装置５１(図８に一部のみ図示)によって、該中枠１３は外枠１１に対して閉成状態に保持されるようになっている。実施例では、上枠部材１１ａおよび下枠部材１１ｂが合成樹脂製で、第１側枠部材１１ｃおよび第２側枠部材１１ｄはアルミ等の金属材により成形されている。また、第２側枠部材１１ｄは、図示しない外部アースに電気的に接続されて接地されている。
【００１９】
(中枠１３について)
図２および図３に示すように、前記中枠１３は、上縁をなす上枠部１３ａと、下縁をなし、打球発射装置１８、各種制御装置５９,６０等を設置する設置部として機能する下枠部１３ｂと、左縁(一方の側縁)をなす第１側枠部１３ｃと、右縁(他方の側縁)をなす第２側枠部１３ｄとから構成されて、これら上下左右の枠部１３ａ,１３ｂ,１３ｃ,１３ｄを組み付けた際に、全体が外枠１１の開口領域に整合する大きさに形成される。そして、前述したように外枠１１に対して中枠１３の第１側枠部１３ｃ側が、ヒンジ機構５０を介して回動自在に支持されて、第２側枠部１３ｄ側が施錠装置５１により施錠されるようになっている。また、中枠１３には、上下左右の枠部１３ａ,１３ｂ,１３ｃ,１３ｄを組み付けることで前後に開口する遊技盤保持部５２が画成され、該遊技盤保持部５２に遊技盤１２が着脱自在にセット保持される。実施例では、上枠部１３ａおよび下枠部１３ｂが合成樹脂材で成形されると共に、第１側枠部１３ｃおよび第２側枠部１３ｄはアルミ等の金属材により成形されて、中枠１３全体としての剛性を確保しつつ軽量化が図られている。また、外枠１１および中枠１３は、外枠１１における金属製の第１側枠部材１１ｃおよび第２側枠部材１１ｄが、中枠１３の対応する金属製の第１側枠部１３ｃ，１３ｄに対して金属製のヒンジ機構５０および施錠装置５１を介して接触することで電気的に接続される。図１,図２において、遊技盤１２の前面に配設されている各種の遊技部品は、後述する案内レール５５を除いて図示省略してある。また、図２においては、前枠１５に配設されている透視保護板１５ａも図示省略している。
【００２０】
前記遊技盤保持部５２を画成する各枠部１３ａ,１３ｂ,１３ｃ,１３ｄの内面には、内側に突出する段部(図示せず)が夫々設けられている。また、上枠部１３ａの下面および下枠部１３ｂにおける左端部の上面には、前記第１側枠部１３ｃにおける段部の前面から前側に遊技盤１２の厚みと略同寸法だけ離間する位置に、内側(遊技盤保持部５２側)に突出する固定突部５３が夫々が突設されている(図２参照)。また、上枠部１３ａおよび下枠部１３ｂの右端部には、段部との間で遊技盤１２の右側上下端部を挟持する固定金具５４が夫々配設されている。すなわち、中枠１３に対して遊技盤１２は、遊技盤保持部５２に対して前側から斜めに遊技盤１２を臨ませて、該遊技盤１２の左側端部を前記段部と固定突部５３,５３との間に差し込んだ状態で、遊技盤１２の右側端部を押し込んで該遊技盤１２の左側端部を中心に回動させて遊技盤１２の全体を遊技盤保持部５２に臨ませ、該遊技盤１２の右端部の裏面を段部に当接させる。そして、前記固定金具５４,５４を遊技盤１２の右側上下端部の前面に当接して段部との間で挟持することで、遊技盤１２は中枠１３の遊技盤保持部５２内に組み付けられる。このように、実施例に係る遊技盤１２は、中枠１３と同様に、左側端部が回転中心となるよう構成される。なお、以下の説明において、パチンコ機１０(遊技盤１２)における左側を枢支端側と称し、右側を開放端側と称することもある。
【００２１】
図３に示すように、前記中枠１３(パチンコ機１０)における下枠部１３ｂの裏側には、パチンコ機１０の電源制御を行なう電源制御装置(図示せず)、後述する球通路ユニット２９に配設した球払出し装置８１を駆動制御する払出し制御装置５９、中枠１３に設置された打球発射装置１８を駆動制御する発射制御装置６０等の各種制御装置(電気部品)が配設されている。電源制御装置、払出し制御装置５９、発射制御装置６０は、遊技盤１２の裏側に配設される主制御装置５８に後述するドッキングコネクタ６２を介して配線接続され、この主制御装置５８からの制御信号に基づいて所定の制御が実行される。また、下枠部１３ｂの裏側には、球通路ユニット２９の下方に、球貸し機等の外部装置に接続されるインターフェース基板６１が配設されている。このインターフェース基板６１は、払出し制御装置５９やその他の制御装置に電気的に接続され、これら払出し制御装置５９やその他の制御装置と外部装置との間の信号の授受を中継するよう構成される。
【００２２】
(遊技盤１２について)
前記遊技盤１２は、ベニヤ板や透明なアクリル板等から所定板厚の略矩形状に形成された板状体であって、図４に示す如く、該遊技盤１２の表面(盤面)に配設された略円形状に湾曲形成する案内レール５５により、パチンコ球が流下可能な遊技領域１２ａが画成され、前記中枠１３に配設された前記打球発射装置１８から発射されたパチンコ球が遊技領域１２ａ内に打ち出され、該遊技領域１２ａ内をパチンコ球が流下して遊技が行なわれる。遊技盤１２には、図柄表示装置１４の表示部に対応する位置に前後に開口する開口部(図示せず)が開設され、該開口部に合わせて、所要の装飾を施したセンター役物とも称される枠状装飾体２０が臨むようになっている。また遊技盤１２には、遊技領域１２ａに臨む位置に、パチンコ球の入賞により図柄表示装置１４の図柄を変動開始させる始動入賞装置２１や、大当りの発生時に開放する特別入賞装置２２および普通入賞装置２３等の各種遊技部品が配設されている。遊技盤１２の裏側には、図５に示す如く、図柄表示装置１４、可動演出装置および発光装置(図示せず)等の各種の遊技部品が配設される合成樹脂材で形成された設置部材２４が配設される。そして、設置部材２４に形成された前後に開口する開口部(図示せず)および枠状装飾体２０に形成した窓口２０ａを介して図柄表示装置１４の表示部を前面側から視認し得るよう構成されている。
【００２３】
前記始動入賞装置２１には、遊技領域１２ａを流下するパチンコ球が入賞可能な始動入賞口が設けられると共に、該始動入賞口へ入賞したパチンコ球を検出する始動入賞検出センサ(図示せず)が設けられる。始動入賞検出センサは、後述する主制御装置５８に配線接続されており、始動入賞検出センサがパチンコ球を検出すると検出信号を主制御装置５８に出力し、主制御装置５８は、前記払出し制御装置５９に制御信号を出力し、該払出し制御装置５９の制御下に球払出し装置８１(後述)に予め設定された数(実施例では５個)の賞球を払い出させるようになっている。また、始動入賞検出センサによるパチンコ球の検出を契機として主制御装置５８から後述する統括制御装置５７に制御信号が出力され、該統括制御装置５７の制御下に表示制御装置５６(後述)が制御されて前記図柄表示装置１４の表示部で図柄変動が開始されるようになっている。
【００２４】
前記特別入賞装置２２には、遊技領域１２ａを流下するパチンコ球が入賞可能な特別入賞口、該特別入賞口を常には閉鎖する開閉可能な開閉扉および特別入賞口へ入賞したパチンコ球を検出する特別入賞検出センサ(図示せず)が設けられる。特別入賞装置２２は、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、遊技者が賞球を獲得し得る機会が与えられるよう構成されている。なお、特別入賞検出センサは、主制御装置５８に配線接続されており、特別入賞検出センサがパチンコ球を検出すると検出信号を主制御装置５８に出力し、主制御装置５８は、払出し制御装置５９に制御信号を出力し、該払出し制御装置５９の制御下に球払出し装置８１に予め設定された数(実施例では１５個)の賞球を払い出させるようになっている。また、前記普通入賞装置２３には、遊技領域１２ａに常に開口して該遊技領域１２ａを流下するパチンコ球が入賞可能な普通入賞口が設けられると共に、該普通入賞口へ入賞したパチンコ球を検出する普通入賞検出センサ(図示せず)が設けられる。普通入賞検出センサは、主制御装置５８に配線接続されており、普通入賞検出センサがパチンコ球を検出すると検出信号を主制御装置５８に出力し、該主制御装置５８は、払出し制御装置５９に制御信号を出力し、該払出し制御装置５９の制御下に球払出し装置８１に予め設定された数(実施例では１０個)の賞球を払い出させるようになっている。実施例では、各入賞装置２１,２２,２３へのパチンコ球の入賞、具体的には各入賞検出センサがパチンコ球を検出する条件(所定条件)が成立することで、後述する球貯留部２７(球タンク３０)に貯留されているパチンコ球が払い出される。
【００２５】
前記設置部材２４に着脱可能に配設される図柄表示装置１４の裏面には、図５に示す如く、該図柄表示装置１４における液晶パネルの表示を制御する表示制御装置５６と、該表示制御装置５６を制御すると共に、パチンコ機１０を発光演出する発光装置を発光制御したり、スピーカの効果音出力制御を行なう等、パチンコ機１０の演出全体を制御する統括制御装置５７が、左右に並んで配設されている。また設置部材２４には、図柄表示装置１４の下側に、パチンコ機１０の遊技全般および賞球の払い出しを司る主制御装置５８が配設され、該主制御装置５８に統括制御装置５７が配線接続されている。そして、前記遊技盤１２に配設された発光装置や前記表示制御装置５６が統括制御装置５７に配線接続されると共に、該統括制御装置５７が前記主制御装置５８に配線接続され、該主制御装置５８から導出する配線(図示せず)が、前記設置部材２４に配設された後述するドッキングコネクタ６２を構成する第２コネクタ６２ｂに電気的に接続される。なお、パチンコ機１０では、主制御装置５８から出力された制御信号(制御コマンド)に基づき、前記統括制御装置５７が表示制御装置５６に制御信号(制御コマンド)を出力し、該表示制御装置５６は入力された制御信号に基づいて図柄表示装置１４を制御して所定の演出を表示させるようになっている。
【００２６】
(ドッキングコネクタ６２について)
前記パチンコ機１０では、遊技盤１２に配設された前記主制御装置(電気部品)５８と、前記中枠１３に配設された各種制御装置(電気部品)５９,６０とを電気的に接続する手段として、中枠１３に対して遊技盤１２を組み付けることで電気的に接続するドッキングコネクタ６２を採用している。ドッキングコネクタ６２は、中枠１３側に設けられ、該中枠１３に配設された各種制御装置５９,６０に接続される第１コネクタ６２ａ(図６参照)と、遊技盤１２側に設けられ、該遊技盤１２に配設された主制御装置５８および統括制御装置５７に接続する第２コネクタ６２ｂ(図５参照)とを備え、中枠１３に対して遊技盤１２を組み付けることによって、第１コネクタ６２ａが第２コネクタ６２ｂに嵌合して接続するよう構成される。
【００２７】
前記ドッキングコネクタ６２を構成するコネクタ６２ａ,６２ｂは、前記中枠１３および設置部材２４における開放端側に配設されている。第１コネクタ６２ａは、図６に示す如く、中枠１３の第２側枠部１３ｄの内側下部に、第２コネクタ６２ｂに対する接続端を前側に向けて設けられる。また、第２コネクタ６２ｂは、図５に示す如く、前記設置部材２４の右下角部(図５では左下角部)に、第１コネクタ６２ａに対する接続端を後側に向けて設けられる。すなわち、設置部材２４を取り付けた遊技盤１２の左側端部(一側部)を前記段部と固定突部５３,５３との間に差し込んで支持した状態で、該遊技盤１２の右側端部(他側部)を押し込んで遊技盤１２の左側端部を中心に回動させて遊技盤１２の全体を前記遊技盤保持部５２に臨ませることで、第１コネクタ６２ａに第２コネクタ６２ｂが接続するよう構成される。そして、ドッキングコネクタ６２(第１コネクタ６２ａおよび第２コネクタ６２ｂ)が設けられる遊技盤１２の右側端部(開放端側)の上下部位が、前記固定金具５４,５４により中枠１３に対して位置決め固定されることで、第１コネクタ６２ａおよび第２コネクタ６２ｂの接続状態を維持し得るようになっている。
【００２８】
(球貯留部２７について)
図３に示すように、前記中枠１３には、パチンコ球を貯留可能な球貯留部２７が、上枠部１３ａの裏側に設けられている。また、中枠１３には、上下の球受け皿１６,１７に連通する球流通路が形成された球通出案内部(図示せず)が、下枠部１３ｂの裏側に配設されている。そして、球貯留部２７と球通出案内部の球流通路とが、球通路ユニット２９によって連通接続されている。すなわち、設置枠台に設けられた球供給設備(図示せず)から球貯留部２７に供給されたパチンコ球は、球通路ユニット２９および球通出案内部を介して上下の球受け皿１６,１７に給出されるようになっている。
【００２９】
図７〜図１０に示すように、前記球貯留部２７は、球供給設備からパチンコ球を受け入れて、該パチンコ球を貯留する球タンク３０と、この球タンク３０に貯留したパチンコ球を整列させるタンクレール３１とを備えている。実施例の球貯留部２７は、球タンク３０およびタンクレール３１が一体的に形成されている。前記球タンク３０は、第２側枠部１３ｄ側から第１側枠部１３ｃ側に向けて(右から左へ向けて)下方傾斜するタンク底面(底面)３２と、該タンク底面３２の外周縁に沿って立ち上がる前壁(一方の側壁)３３ａ,後壁３３ｂ,右壁３３ｃおよび左側の球誘導面３３ｄとから上方開口する略矩形箱状に形成され、当該タンク底面３２および各壁３３ａ〜３３ｃ,球誘導面３３ｄにより画成される貯留空間３４にパチンコ球を貯留するようになっている。そして、前記球タンク３０の傾斜下端側に前記タンクレール３１が一体的に設けられ、球タンク３０の傾斜下端側に設けられた球出口３０ａを介して貯留空間３４にタンクレール３１が連通している。また、球タンク３０は、タンク底面３２が球出口３０ａに向かうにつれて下方傾斜するよう形成されることで、該球タンク３０の貯留空間３４は、球出口３０ａに向かうにつれて深さが深く(タンク上端からタンク底面３２までの高さが大きく)なるよう構成されている。
【００３０】
なお、前記球誘導面３３ｄは、パチンコ球をタンクレール３１へ誘導する球誘導手段として機能するものであって、前壁３３ａに接続されて貯留空間３４に臨むよう凹面形状に形成されている。そして、球誘導面３３ｄに流下したパチンコ球は、その球圧を吸収されつつ球出口３０ａに向けて速やかに誘導されて、該球出口３０ａからパチンコ球がタンクレール３１へ送り出されるよう構成される。
【００３１】
図１０に示す如く、前記球タンク３０の前壁３３ａにおける上枠部１３ａの後面に対向する前面に、左右方向に離間して複数(実施例では２つ)のタンク用係合部(係合部)６３が設けられると共に、前記タンクレール３１における左端部の前面に、レール用係合部６４が設けられている。タンク用係合部６３およびレール用係合部６４は、何れも前方に延出した片部の前端を左方に向けて折曲して鉤状とした部分であって、これら複数の係合部６３,６４によって球貯留部２７が上枠部１３ａに対して着脱自在に取り付けられるよう構成される。すなわち、上枠部１３ａには、各係合部６３,６４と対応する位置に、該係合部６３,６４の後側からの挿入を許容する係合孔(被係合部)６５が形成されており(図８にタンク用係合部６３に対応する係合孔６５のみ図示)、各係合孔６５に対応する係合部６３,６４を前側から挿入して前壁３３ａの前面を上枠部１３ａの後面に当接した状態で、球貯留部２７を左方(横方向)に移動(変位)することで各係合部６３,６４が係合孔６５の側縁部に係合して、上枠部１３ａに対して球貯留部２７が取り付けられる。また、球貯留部２７を右方(取り付け時とは反対方向)に移動(変位)することで、各係合部６３,６４と係合孔６５の側端縁との係合が解除されて、各係合部６３,６４を係合孔６５から後方に抜き出すことで、該球貯留部２７は上枠部１３ａから後方に取り外すことができる。なお、係合部６３,６４と係合孔６５の側端縁との係合作用によって上枠部１３ａに取り付けられた球貯留部２７は、球タンク３０の前壁３３ａから上方に延出するように設けた固定片６６が、上枠部１３ａにネジ止め固定されるよう構成してある。
【００３２】
前記球タンク３０の前壁３３ａには、図１０に示す如く、上端縁の左端部に、下側に凹む第１被位置決め部６７が形成されると共に、該球タンク３０の右壁３３ｃの内面(貯留空間３４側の面)に、前壁３３ａの内面から後方に所定間隔離間した位置で内方に突出する第２被位置決め部６８が設けられている。また、タンク底面３２における前壁３３ａとの接続部である隅部に、下方に向けて貫通する第３被位置決め部６９が設けられており、これら３つの被位置決め部６７,６８,６９によって、球タンク３０に貯留したパチンコ球からの除電を行なう金属体(導電性部材)３５が、前壁３３ａに対して位置決めされるよう構成してある。着脱自在に位置決めされるよう構成してある。
【００３３】
(金属体３５について)
前記球タンク３０には、前記貯留空間３４に貯留したパチンコ球に接触して、球供給設備から供給される際にパチンコ球に帯電している静電気、球タンク３０内を流下するパチンコ球同士あるいはパチンコ球と球タンク３０との接触により発生する静電気を、後述するように中枠１３側に逃し得る金属体３５が着脱自在に取り付けられている。この金属体３５は、図９,図１０に示す如く、球タンク３０の前記前壁３３ａに沿って延在する薄板状の接触板３５ａと、該接触板３５ａにおける右端部(長手方向の一端部)に設けられた接続部３５ｂと、接触板３５ａに設けられた位置決め部３５ｃ,３５ｄ,３５ｅとを備える。この位置決め部は、接触板３５ａの上端縁における左端部に設けられて前側に向けて折曲された後に下側に向けて折曲された鉤状の第１位置決め部３５ｃと、接触板３５ａの右端部に設けられて後側に向けて折曲された第２位置決め部３５ｄと、接触板３５ａの下端縁に設けられて下方に延出する第３位置決め部３５ｅとから構成される。第１位置決め部３５ｃは、球タンク３０に設けた前記第１被位置決め部６７に係脱自在に係合可能で、第２位置決め部３５ｄは、球タンク３０に設けた前記第２被位置決め部６８に係脱自在に係合可能で、第３位置決め部３５ｅは、球タンク３０に設けた前記第３被位置決め部６９に係脱自在に係合可能に構成される。すなわち、接触板３５ａを前壁３３ａの内側に臨ませた状態で、第１位置決め部３５ｃを第１被位置決め部６７に係合すると共に第２位置決め部３５ｄを第２被位置決め部６８に係合し、更に第３位置決め部３５ｅを第３被位置決め部６９に係合することで、当該金属体３５は、図７に示す如く、接触板３５ａが前壁３３ａの内面(貯留空間３４に臨む位置)に沿って左右方向(球タンク３０の長手方向)に延在する状態で該前壁３３ａに位置決めされる。すなわち、金属体３５は、球タンク３０に貯留したパチンコ球に接触板３５ａが接触可能な状態で、該球タンク３０の長手方向に沿う一方の側壁である前壁３３ａに取り付けられる。
【００３４】
前記接触板３５ａの下端縁は、右端から左端に向かって前記球タンク３０のタンク底面３２と同じ傾斜角度で下方傾斜するよう形成されて、該接触板３５ａの上端縁から下端縁までの高さ寸法が、右端から左端に向かうにつれて大きくなるよう構成される。すなわち、金属体３５を前壁３３ａに位置決めした状態で、図７に示す如く、接触板３５ａの下端縁がタンク底面３２に沿って延在すると共に、該接触板３５ａは球タンク３０の右壁３３ｃから前記球出口３０ａに向かうにつれて上下寸法が大きくなり、前記貯留空間３４に貯留されているパチンコ球との接触機会を多くし得るようになっている。なお、接触板３５ａにおける左右方向の長さ寸法は、前記右壁３３ｃの内面から球誘導面３３ｄに至る値に設定されており、貯留空間３４の右端(球出口３０ａから離間する端)から球誘導面３３ｄまでの間のパチンコ球に接触可能に構成される。また、接触板３５ａの下端縁は、図１２に示す如く、タンク底面３２に接触するようになっており、貯留空間３４に貯留された最下部のパチンコ球にも接触可能に構成されている。
【００３５】
前記球タンク３０における前壁３３ａの内面側(貯留空間３４側)には、図９に示す如く、上端縁から所定高さで前側に凹む段部３６が左右方向に所定長さで延在するよう形成されている。また、前記金属体３５の接触板３５ａにおける前壁３３ａの内面に接触する部分の上端縁部に、前壁３３ａの段部３６と対応する部分に下側に凹む切欠部３５ｆが形成されて、金属体３５を前壁３３ａに位置決めした状態で、段部３６の上端縁と切欠部３５ｆの上端縁とが略同じ高さ位置に位置するよう構成されている。すなわち、金属体３５には、該金属体３５が取り付けられる前壁３３ａの上端縁から一段下がった位置に上端縁が位置する切欠部３５ｆが、該金属体３５の長手方向に延在して設けられている。
【００３６】
前記金属体３５に設けられる前記接続部３５ｂは、図９に示す如く、前記第２位置決め部３５ｄの上端部において右方に向けて折曲された部分であって、該接続部３５ｂは、図１１に示す如く、金属体３５を前壁３３ａに取り付けた状態で、前記右壁３３ｃの上方を球タンク３０の外方に延出するよう構成される。そして、接続部３５ｂにおける球タンク３０外に位置する延出端部が、前記中枠１３に電気的に接続する後述する板金部材７０にネジ止め固定されて、金属体３５が板金部材７０に電気的に接続されるよう構成してある。すなわち、球供給設備から供給される際にパチンコ球に帯電している静電気、球タンク３０内を流下するパチンコ球同士あるいはパチンコ球と球タンク３０との接触により発生する静電気を、該金属体３５および板金部材７０を介して中枠１３側に逃し得るよう構成される。
【００３７】
(板金部材７０について)
図８,図１１に示す如く、前記中枠１３の上枠部１３ａにおける球貯留部２７(球タンク３０)の配設位置より右外側に、前記遊技盤１２を中枠１３に対して固定するための上側の固定金具５４の取付け固定部となる前記板金部材７０が着脱自在に配設されている。この板金部材７０は、後側に開口するコ字状の本体７１と、該本体７１における右側壁(球タンク３０から離間する側壁)の後端から右方に向けて折曲された第１取付部７２と、該本体７１における左側壁の後端から左方に向けて折曲された第２取付部７３とを備える。上枠部１３ａには、板金部材７０の本体７１を挿脱可能な取付孔７４が、前後方向に貫通するよう形成されると共に、該取付孔７４を挟む左右両側に、複数のネジ孔７５が形成されている。そして、板金部材７０は、本体７１を取付孔７４に後方から嵌挿して両取付部７２,７３を上枠部１３ａの後面に当接した状態で、両取付部７２,７３に形成した通孔７０ａに挿通したネジを、上枠部１３ａの対応するネジ孔７５に螺挿することで、当該板金部材７０は上枠部１３ａに位置決め固定されるようになっている。なお、実施例では板金部材７０を上枠部１３ａにネジ止め固定するネジを介して前記金属体３５の接続部３５ｂが板金部材７０に接触状態で固定されるよう構成してある。
【００３８】
前記板金部材７０における第１取付部７２の延出端に、図８に示す如く、前方に向けて折曲された接触片７２ａが設けられている。また、前記上枠部１３ａと第２側枠部１３ｄとの当接部に、上枠部１３ａを第２側枠部１３ｄから離間するように凹ませることで形成した後方に開口する挿入部７６が形成されており、上枠部１３ａに取り付けられた板金部材７０の接触片７２ａは、前記挿入部７６に挿入されて該接触片７２ａが金属性の第２側枠部(金属部分)１３ｄに接触して、板金部材７０を介して金属体３５と中枠１３(第２側枠部１３ｄ)とを電気的に接続するよう構成される。なお、接触片７２ａは、挿入部７６に挿入した状態で、第２側枠部１３ｄにネジ止め固定されて、接触片７２ａと第２側枠部１３ｄとの接触状態を維持し得るようになっている。
【００３９】
前記板金部材７０における第２取付部７３の延出端に、図８に示す如く、後方に向けて折曲された支持部７７が設けられている。この支持部７７は、後方への突出寸法が小さい上突片７７ａと、該上突片７７ａより後方への突出寸法が大きい下突片７７ｂとを備え、上下の突片７７ａ,７７ｂの間に後方および左右方向に開口する上差込み口７７ｃが形成されている。また、下突片７７ｂの延出端部に、後方および左右方向に開口する下差込み口７７ｄが形成されている。前記球タンク３０の右壁３３ｃの外面に、上被支持部７８および下被支持部７９が、図８に示すように上下および前後に離間した位置に突設されている。上下の被支持部７８,７９は、何れも上下方向に延在する上下片８０ａおよび該上下片８０ａの下端から前方に延在する前片８０ｂとからＬ字状に形成されている。そして、図１１に示す如く、前記板金部材７０を配設した上枠部１３ａに対して球貯留部２７(球タンク３０)を取り付けた状態で、上下の突片７７ａ,７７ｂの後端が対応する上下の被支持部７８,７９の上下片８０ａの前面に夫々当接すると共に、上下の差込み口７７ｃ,７７ｄに対応する上下の被支持部７８,７９の前片８０ｂが夫々差し込まれて係合し、球貯留部２７(球タンク３０)の右端部における前方および上下方向の位置決めがなされるようになっている。なお、上下の被支持部７８,７９における前片８０ｂの左右方向の幅は、前記タンク用係合部６３を対応する係合孔６５に挿入して左右方向に移動して係合孔６５の側縁部との係脱を行なう際には、前片８０ｂの差込み口７７ｃ,７７ｄに対する差し込み状態が維持されるよう構成してある。
【００４０】
前記固定金具５４は、図８に示す如く、前記板金部材７０に取り付けられる取付け部５４ａと、該取付け部５４ａに対して回動変位可能に支持された保持部５４ｂとを備え、取付け部５４ａに対して保持部５４ｂを回動することで、該保持部５４ｂは、前記遊技盤保持部５２に収容した遊技盤１２を固定する固定位置と固定を解除する解除位置とに変位するよう構成される。取付け部５４ａには、複数のネジ孔５４ｃが形成されており、該取付け部５４ａは、板金部材７０の本体７１に形成した通孔７１ａに挿通したネジを対応するネジ孔５４ｃに螺挿することで、該本体７１の前側にネジ止め固定されるよう構成してある。
【００４１】
(仕切部材３８について)
前記球タンク３０における前壁３３ａの前側に位置する前記中枠１３の上枠部１３ａ(球タンク３０の外部)に、図７,図１２に示す如く、ガイド部材(支持部材)３７が配設されると共に、球タンク３０の内部に位置する仕切部材３８が、ガイド部材３７に対して左右方向に位置調節可能に支持されている。ガイド部材３７は、図８,図９に示す如く、前壁３３ａの上側において該前壁３３ａと平行に延在する後面壁３７ａに、左右方向に延在するスリット３７ｂが前後方向に開設されると共に、該スリット３７ｂにおける左端部側に、上下方向の開口寸法がスリット３７ｂより大きく設定された一対の装着口３７ｃ,３７ｃが左右方向に離間して形成されている。また後面壁３７ａには、スリット３７ｂの上側に、山と谷とが反復するラック状の被係止部３７ｄが左右方向に所定長さで形成されている。なお、実施例では、被係止部３７ｄにおける長手方向に並んで形成される各山部分が、仕切部材３８の後述する係止部４２が係脱自在に係止する被係止部となる。
【００４２】
前記仕切部材３８は、前壁３３ａの内面に沿って延在する操作部として機能する本体部３９と、該本体部３９の右端縁から前側へ延出する仕切片４０と、本体部３９の前端に突設されて左右方向に離間する一対の支持部４１,４１と、両支持部４１,４１の間に設けられた係止部４２とを備える。本体部３９は、図９および図１０(ｂ)に示す如く、矩形状の後板３９ａと、該後板３９ａの左右両端縁から前方に向けて延出する側板３９ｂ,３９ｂと、後板３９ａから前方に離間するよう両側板３９ｂ,３９ｂの前端上部間に連設される前板３９ｃとを備え、後板３９ａと前板３９ｃとの隙間に指を差し込んで後板３９ａを把持して仕切部材３８を操作し得るよう構成される。両側板３９ｂ,３９ｂの前端には、下側に開放する階段状の階段部(段部)４３が形成され、仕切部材３８をガイド部材３７に装着した状態で該階段部４３が、前記球タンク３０における段部３６の上面および前壁３３ａの上面に載った状態で支持され、仕切部材３８が球タンク３０に対して左右方向に安定して移動可能になっている。なお、仕切部材３８の階段部４３は、前壁３３ａに取り付けた前記金属体３５における接触板３５ａの切欠部３５ｆの上端縁でも支持される。
【００４３】
前記一対の支持部４１,４１は、前記ガイド部材３７における一対の装着口３７ｃ,３７ｃに対応して前板３９ｃに左右方向に離間して突設される。各支持部４１は、図１０(ｂ)に示す如く、ガイド部材３７のスリット３７ｂ内を左右方向に移動可能な厚み寸法に設定された板部４１ａと、該板部４１ａの前端部において上下方向に突出する抜止め部４１ｂを備え、該抜止め部４１ｂは、前記装着口３７ｃの上下方向の開口寸法より小さく、かつスリット３７ｂの上下方向の開口寸法よりは大きく設定されている。すなわち、抜止め部４１ｂは、装着口３７ｃを介して挿脱し得るよう構成される。そして、抜止め部４１ｂを装着口３７ｃに後側から挿入した状態で、仕切部材３８は、板部４１ａがスリット３７ｂ内を左右方向に移動して位置調節されるようになっている。なお、装着口３７ｃから挿入された抜止め部４１ｂは、該装着口３７ｃと前後方向に一致しない位置においてはガイド部材３７の後面壁３７ａにおけるスリット３７ｂの上下の前面に接触し、これによってガイド部材３７に対して仕切部材３８が後側へ抜けるのが規制されるようになっている。
【００４４】
前記仕切部材３８の前板３９ｃには、図１０に示す如く、一対の支持部４１,４１の間に、前後方向に弾性変形可能な前記係止部４２が形成され、該係止部４２の前端上部に前方に向けて突出する係止突部４２ａが設けられている。そして、係止部４２の弾性によって、前記ガイド部材３７の被係止部３７ｄにおける谷部分に、係止突部４２ａが嵌まり込むようにして係止可能に構成される。すなわち、ガイド部材３７に対して仕切部材３８をスリット３７ｂに沿って左右方向に移動する際に、係止部４２の係止突部４２ａが被係止部３７ｄの谷部分に嵌まり込むようにして係止することで、仕切部材３８は調節した位置で位置決めされるようになっている。なお、係止部４２の弾力は、球タンク３０の貯留空間３４に貯留されるパチンコ球の球圧では係止部４２(係止突部４２ａ)と被係止部３７ｄとの係止状態が簡単には解除されないが、作業者が仕切部材３８の本体部３９を把持して左方または右方に所要の力を加えた際には、係止部４２(係止突部４２ａ)と被係止部３７ｄとの係止状態が解除されて仕切部材３８の移動が許容されるよう設定される。実施例では、ガイド部材３７の被係止部３７ｄと仕切部材３８の係止部４２とから、ガイド部材３７に対して仕切部材３８を調節位置で位置めする係止手段が構成される。
【００４５】
前記仕切部材３８の仕切片４０は、図７に示す如く、該仕切部材３８をガイド部材３７に装着した状態で、貯留空間３４の内部に臨むよう構成される。具体的には、仕切部材３８をガイド部材３７の後面壁３７ａに装着した状態で、前記本体部３９を構成する後板３９ａ、両側板３９ｂ,３９ｂの一部および仕切片４０が前記前壁３３ａの上側を越えて貯留空間３４内に収容されて、前記金属体３５における貯留空間３４内に臨む前記接触板３５ａの内面から後壁(他方の側壁)３３ｂの内面までの間に、右側の側板３９ｂおよび仕切片４０が延在して該貯留空間３４を左右に仕切るよう構成される。また、仕切片４０の先端(本体部３９から離間する端)は、球タンク３０の後壁３３ｂの内面に対してパチンコ球１個分より小さい間隔で離間し、ガイド部材３７に対して仕切部材３８を左右方向に移動調節することで、該仕切片４０より左側(タンクレール３１側)に画成される貯留空間３４の内容積を可変し得るよう構成されている。なお、本体部３９および仕切片４０の左右方向(移動調節方向)の寸法は、図７に示す如く、前記接触板３５ａの左右方向の寸法より短かく設定されて、当該仕切部材３８を、前記被係止部３７ｄと係止部４２とで位置め可能な移動範囲の何れの位置に移動調節した場合にも、常に接触板３５ａが貯留空間３４に臨んでパチンコ球との接触が可能な状態が維持可能に構成されている。実施例では、仕切部材３８を最も左側(球出口３０ａ側)に移動して被係止部３７ｄと係止部４２とで位置めした状態で、貯留空間３４に臨む本体部３９より左側(内容積が調節された貯留空間３４側)において接触板３５ａが露出するようになっている。実施例では、仕切部材３８の本体部３９と仕切片４０とで、貯留空間３４の内容積を可変する仕切部が構成される。
【００４６】
前記仕切片４０の高さ寸法は、該仕切片４０の上端が球タンク３０の上端より僅かに低い位置に位置すると共に、仕切部材３８を前記係止部４２と被係止部３７ｄとが係止して位置決め可能な最も左側(タンクレール３１側)に位置させた状態で、該仕切片４０の下端とタンク底面３２との間の隙間がパチンコ球１個分より小さくなるよう設定されている。すなわち、右端から左端に向かうにつれて下方傾斜するタンク底面３２に対して仕切部材３８を左右方向に略水平に移動調節した場合において、何れの調節位置においても仕切片４０とタンク底面３２との間の隙間をパチンコ球が通り得ないよう構成される。
【００４７】
前記タンクレール３１は、幅寸法(前後寸法)がパチンコ球が１球通過し得る大きさに設定されると共に、上流端部から下流端部まで(第２側枠部１３ｄ側から第１側枠部１３ｃ側に向けて)略直線状に延在している。また、タンクレール３１の底面は、全体が右から左へ向けて下方傾斜すると共に、その傾斜角度は前記球タンク３０におけるタンク底面３２の傾斜角度と同じに設定されている。
【００４８】
前記タンクレール３１における底面の下流端には、上下方向に開放する球排出口(図示せず)が開設され、この球排出口が前記球通路ユニット２９に形成した球通路に連通接続されている。図３に示す如く、球通路ユニット２９には、パチンコ球の払出しを行なう球払出し装置８１が配設されており、前記入賞検出センサがパチンコ球を検出する条件または貸球用の払出しスイッチが操作された条件が成立することに基づいて球払出し装置８１が作動することで、前記タンクレール３１の球排出口から球通路ユニット２９に到来したパチンコ球を通出させて、球通出案内部を介して賞球または貸球として前記球受け皿１６,１７に給出するよう構成される。なお、図９,図１０において符号８２は、前記タンクレール３１に対して着脱自在に配設されて、前記球排出口から球通路ユニット２９へパチンコ球を円滑に通入させるための整流部材を示す。
【００４９】
〔実施例の作用〕
次に、前述のように構成された実施例に係るパチンコ機１０の作用につき説明する。
【００５０】
図示しない球供給設備から球タンク３０の貯留空間３４へパチンコ球が供給されると、該パチンコ球は、上下に重なり合った状態で貯留空間３４へ収容される。これらのパチンコ球は、タンク底面３２の傾斜方向に沿ってタンクレール３１側へ自重によって流れる。また、前記球誘導面３３ｄ上に位置するパチンコ球は、タンク底面３２やタンクレール３１側へ速やかに案内される。タンクレール３１へ流れたパチンコ球は、該タンクレール３１の底面を流下して球排出口から下方へ落下する。このパチンコ球は、前記球通路ユニット２９の球通路に通入し、球通路ユニット２９の内部で一時的に貯留される。そして、前記払出し制御装置５９から出力された制御信号(賞球払出し信号、貸球払出し信号)に基づいて球払出し装置８１が作動することで、球タンク３０および球通路ユニット２９の内部にあるパチンコ球は、賞球または貸球として球通出案内部を介して前記上下の球受け皿１６,１７へ給出される。
【００５１】
前記球タンク３０の内部には、図７に示す如く、前記前壁３３ａの内面に沿って金属体３５の接触板３５ａが延在しており、球タンク３０に貯留されたパチンコ球は、直接またはパチンコ球同士を介して接触板３５ａに接触する。この金属体３５は、図１１に示す如く、前記中枠１３の金属製の第２側枠部１３ｄに電気的に接続する前記板金部材７０に電気的に接続されている。すなわち、球供給設備から供給される際にパチンコ球に帯電している静電気、球タンク３０内を流下するパチンコ球同士あるいはパチンコ球と球タンク３０との接触により発生する静電気を、金属体３５および板金部材７０を介して中枠１３側に逃すことができ、パチンコ球に帯電した静電気に起因するノイズによる悪影響の発生を防止することができる。また、前記板金部材７０が電気的に接続される中枠１３の第２側枠部１３ｄは、前記施錠装置５１を介して前記外枠１１における金属製の第２側枠部材１１ｄに電気的に接続しているので、球タンク３０に貯留されたパチンコ球に帯電している静電気を、第２側枠部材１１ｄが電気的に接続する外部アースに放電することができる。
【００５２】
前記金属体３５の貯留空間３４に臨む接触板３５ａの上下寸法は、図７に示す如く、前記球タンク３０の深さが右端から左端(球出口３０ａ)に向かうにつれて深くなるのに応じて右端から左端に向かうにつれて大きくなるよう構成されている。従って、貯留空間３４に貯留されるパチンコ球と接触板３５ａ(金属体３５)との接触面積を稼ぐことができ、パチンコ球の確実な除電を図り得る。
【００５３】
前記球タンク３０に貯留するパチンコ球の容量は、前記仕切部材３８を球タンク３０の前壁３３ａに対して左右方向に移動することで調節できる。すなわち、仕切部材３８の本体部３９を把持して左右方向に移動して任意の位置で止めることで、該仕切部材３８の係止部４２がガイド部材３７の被係止部３７ｄに弾力的に係止し、仕切部材３８は調節された位置で保持される。これにより、仕切部材３８の仕切片４０と前記球誘導面３３ｄとの間に画成される貯留空間３４の左右方向の大きさが変わり、該貯留空間３４に貯留し得るパチンコ球の容量が変化する。前記仕切部材３８は、貯留空間３４内に臨む本体部３９の左右の側板３９ｂの前端が前記金属体３５の接触板３５ａの内面で案内されると共に、該本体部３９の階段部４３が、前記前壁３３ａの段部３６および金属体３５の切欠部３５ｆで案内されることで、該仕切部材３８の位置調節を安定して行なうことができる。すなわち、球タンク３０に貯留されたパチンコ球の除電を行なうための金属体３５を利用して仕切部材３８を安定して移動させることができる。また、仕切部材３８を支持する前記ガイド部材３７に、仕切部材３８の係止部４２が係脱可能な被係止部３７ｄを左右方向に並べて形成してあるので、仕切部材３８を調節位置で確実に位置決めし得ると共に、貯留空間３４の内容積を係止部４２と被係止部３７ｄとが係止する位置によって段階的に調節することができる。なお、仕切部材３８は、ガイド部材３７に対して支持されている支持部４１,４１を、装着口３７ｃ,３７ｃと一致する位置まで移動して後側に引き抜くことでガイド部材３７から簡単に取り外すことができる。従って、仕切部材３８が破損等した場合は、該仕切部材３８を簡単に交換することができる。
【００５４】
ここで、前記仕切部材３８は、図７,図１２に示す如く、前記球タンク３０の外部に配設したガイド部材３７に移動自在に支持するようにしたので、仕切部材の位置調節を行なうための手段を球タンクに設ける従来の技術に対し、実施例のパチンコ機１０では金属体３５を球タンク３０の長手方向に連続的に延在させることを阻害する部分が球タンク３０になく、前述したように金属体３５を球タンク３０における右端から球誘導面３３ｄまでの間に連続的に延在させることができる。すなわち、球タンク３０におけるパチンコ球の貯留量を仕切部材３８を移動して調節可能に構成したもとで、貯留されたパチンコ球に帯電する静電気を金属体３５によって確実に除電してノイズによる悪影響を防止し得る。
【００５５】
また、前記仕切部材３８は、前記ガイド部材３７に対して被係止部３７ｄと係止部４２とで位置め可能な移動範囲内においては、貯留空間３４内に臨む本体部３９によって前記接触板３５ａが隠れる部分は部分的であって(図７参照)、内容積が調節された貯留空間３４内には常に接触板３５ａが露出するよう構成されている。従って、金属体３５の接触板３５ａは、仕切部材３８を移動調節しても常にパチンコ球との接触が可能な状態に維持されるので、貯留空間３４に貯留されたパチンコ球に帯電する静電気を確実に除電することができる。
【００５６】
実施例のパチンコ機１０では、前記遊技盤１２に配設された前記主制御装置５８と、前記中枠１３に配設された各種制御装置５９,６０とを電気的に接続する手段としてドッキングコネクタ６２を採用しており、該ドッキングコネクタ６２を構成する第１コネクタ６２ａと第２コネクタ６２ｂとの接続状態を維持するための固定金具５４が、中枠１３の開放端側に配設されている。そして、この固定金具５４を中枠１３に対して強固に固定するために中枠１３に配設されると共に、該中枠１３の金属製の第２側枠部１３ｄに電気的に接続された前記板金部材７０に、前記金属体３５の接触片７２ａがネジ止めされて電気的に接続してある。すなわち、金属体３５と第２側枠部１３ｄとを固定金具５４を固定するための板金部材７０を利用して電気的に接続することができ、アース線等の別部材を用いることなく球タンク３０に貯留されたパチンコ球に帯電している静電気を第２側枠部１３ｄに逃すことができ、部品点数を削減し得る。
【００５７】
前記中枠１３の上枠部１３ａに対して球貯留部２７は、図８,図１０に示す如く、該球貯留部２７の前面に設けたタンク用係合部６３およびレール用係合部６４を、上枠部１３ａに設けた対応する係合孔６５に夫々後側から挿入した状態で、該球貯留部２７を横方向に移動することで、各係合部６３,６４が係合孔６５の側縁部に係合して、上枠部１３ａに対して球貯留部２７が取り付けられる。そして、球タンク３０の前壁３３ａに設けた固定片６６を上枠部１３ａにネジ止めすることで、当該球貯留部２７は中枠１３に位置決め固定される。また、上枠部１３ａに対する固定片６６のネジ止めを解除した状態で、球貯留部２７を取り付け時とは反対方向に横移動して各係合部６３,６４と係合孔６５の側端縁との係合が解除して各係合部６３,６４を係合孔６５から後方に抜き出すことで、該球貯留部２７を上枠部１３ａから取り外すことができる。すなわち、上枠部１３ａに対して球貯留部２７は、横方向に移動することで簡単に着脱することができ、球タンク３０やタンクレール３１に不具合が発生した場合は簡単に交換し得る。また、上枠部１３ａに球貯留部２７を取り付けた状態では、前記係合孔６５に挿通された係合部６３,６４の下端が係合孔６５の下縁部で支持されているので、球タンク３０に対して上方からパチンコ球が供給される際の衝撃等によって係合部６３,６４と係合孔６５との係合が外れるのは防止される。
【００５８】
また、前記球貯留部２７の右端部、すなわち球タンク３０の右端部は、前記板金部材７０に設けた支持部７７における上下の差込み口７７ｃ,７７ｄに、球タンク３０に設けた上下の被支持部７８,７９の各前片８０ｂが差し込まれて上下方向の変位が規制された状態で支持されている(図１１参照)。このように、板金部材７０を利用して球タンク３０を支持することで、球タンク３０に対して上方からパチンコ球が供給される際の衝撃等によって球タンク３０が上下方向に変位するのを抑制し得る。すなわち、前記中枠１３に球貯留部２７を取り付けた状態では、板金部材７０と球タンク３０との相対的な位置の変化は抑制されているので、球タンク３０にパチンコ球が供給される際の衝撃等によって前記金属体３５の接続部３５ｂと板金部材７０とを接続するネジが緩むのは抑制され、金属体３５と板金部材７０との電気的な接続状態を維持して確実な除電を図り得る。
【００５９】
〔変更例〕
本願は前述した実施例の構成に限定されるものではなく、その他の構成を適宜に採用することができ、その一例を示す。
(1) 実施例では、ガイド部材を球タンクの前壁より前側に配設した場合で説明したが、ガイド部材を球タンクの後壁より後側に配設する構成を採用し得る。すなわち、仕切部材は、球タンクの後壁に沿って移動する構成であってもよい。
(2) 実施例では、ガイド部材にラック状の被係止部を設けるのに対し、仕切部材に弾性変形可能な係止部を設けた場合で説明したが、逆の構成であってもよい。すなわち、仕切部材におけるガイド部材に対向する面に、長手方向に沿ってラック状の被係止部を設けるのに対し、ガイド部材の仕切部材に対向する面の所定箇所に弾性変形可能な係止部を設ける構成を採用し得る。
(3) ガイド部材に対して仕切部材を位置めする係止手段については、実施例の構成に限らず、ガイド部材に対して仕切部材を移動した位置に位置決めし得る手段であれば、ネジやその他公知の手段を採用可能である。
(4) 実施例では、球タンクに配設した金属体を、固定金具を中枠に取り付けるための板金部材を介して中枠の第２側枠部(金属部分)に電気的に接続するよう構成したが、金属体の接続部を第２側枠部に直接ネジ止めして電気的に接続する構成を採用し得る。
(5) 実施例では、球タンクに貯留したパチンコ球に接触する導電性部材として金属製の金属体を用いたが、該導電性部材は金属でなくてもよく、カーボン等の導電性材を含有する樹脂製品であってもよい。
(6) 実施例では、球タンクとタンクレールとを一体形成した球貯留部を備えたパチンコ機の場合を例示したが、球タンクおよびタンクレールは、必ずしも一体成形される必要はなく、両部材を別体で構成してもよい。
(7) 実施例では、上下２つの球受け皿を備えた２枚皿タイプのパチンコ機を挙げたが、球受け皿を１つだけ設けた１枚皿タイプのパチンコ機であってもよい。
(8) 遊技機としては、パチンコ機に限られるものではなく、アレンジボール機やパチンコ球を用いたスロットマシン等、その他各種の遊技機であってもよい。
【００６０】
また実施例には、以下に示すような技術的思想が含まれている。
〔付記〕
請求項４または５記載の遊技機において、
前記遊技盤(12)は、前記本体枠(13)に対して一側部を支持した状態で他側部を該本体枠(13)に近接するよう回動することで本体枠(13)に組み付けられるよう構成されると共に、前記本体枠(13)に遊技盤(12)を組み付けることで、前記本体枠(13)の他側部側に配設した第１コネクタ(62a)に遊技盤(12)に配設した第２コネクタ(62b)が電気的に接続するよう構成され、
前記本体枠(13)における他側部側に、遊技盤(12)を本体枠(13)に位置決め固定する固定金具(54)が前記板金部材(70)を介して配設された。
付記に係る遊技機では、本体枠に対して遊技盤を固定する固定金具が配設される板金部材を利用して導電性部材をアースすることができる。
【符号の説明】
【００６１】
１１ 外枠(固定枠)，１１ｄ 第２側枠部材(金属部分)，１２ 遊技盤
１２ａ 遊技領域，１３ 中枠(本体枠)，１３ｄ 第２側枠部(金属部分)
３０ 球タンク，３０ａ 球出口，３２ タンク底面(底面)，３３ａ 前壁(一方の側壁)
３３ｂ 後壁(他方の側壁)，３４ 貯留空間，３５ 金属体(導電性部材)
３５ｆ 切欠部，３７ ガイド部材(支持部材)，３７ｄ 被係止部(係止手段)
３８ 仕切部材，３９ 本体部(仕切部)，４０ 仕切片(仕切部)
４２ 係止部(係止手段)，４３ 階段部(段部)，６３ タンク用係合部(係合部)
６５ 係合孔(被係合孔)，７０ 板金部材
【図１】
2014061033.tif 000003
【図２】
2014061033.tif 000004
【図３】
2014061033.tif 000005
【図４】
2014061033.tif 000006
【図５】
2014061033.tif 000007
【図６】
2014061033.tif 000008
【図７】
2014061033.tif 000009
【図８】
2014061033.tif 000010
【図９】
2014061033.tif 000011
【図１０】
2014061033.tif 000012
【図１１】
2014061033.tif 000013
【図１２】
2014061033.tif 000014